(57)【特許請求の範囲】
【請求項１】
着用者の頭部を覆う硬質の殻体を備え、前記殻体は、着用者の頭部の上部を覆うドーム状殻部材と、着用者の頭部の側部全周を覆う環状殻部材とを備え、前記ドーム状殻部材は、前記環状殻部材に左右方向に延びる軸線上の枢軸を介して反転自在に連結され、前記環状殻部材は、その内側に反転姿勢の前記ドーム状殻部材を収容するヘルメットにおいて、
前記環状殻部材は、該環状殻部材の前端部と後端部との両方に、非反転姿勢の前記ドーム状殻部材の下端部に解除自在に当接して前記ドーム状殻部材の非反転姿勢を維持する当接部を備えることを特徴とするヘルメット。
【請求項２】
前記ドーム状殻部材は、前記枢軸による前記ドーム状殻部材の反転軸線に直交する方向に移動自在とされ、
前記環状殻部材の前記両方の当接部は、前記ドーム状殻部材を前記反転軸線に直交する前後方向のうちの一方側に移動させたときに前記ドーム状殻部材の下縁に当接して前記ドーム状殻部材の反転を規制し、
前記環状殻部材の前記一方の当接部は、前記ドーム状殻部材を前記反転軸線に直交する前後方向のうちの他方側に移動させたときに前記ドーム状殻部材の下縁への当接が解除されて前記ドーム状殻部材の反転を許容することを特徴とする請求項１記載のヘルメット。
【請求項３】
前記ドーム状殻部材が非反転姿勢のとき、前記ドーム状殻部材の前記環状殻部材に対する反転を解除自在にロックするロック手段を有し、
該ロック手段は、前記環状殻部材の後側に設けられた係止部材を備え、
該係止部材は、前端部及び後端部の当接部のうち後端部の当接部を備えていることを特徴とする請求項１又は２記載のヘルメット。
【発明の詳細な説明】
【技術分野】
【０００１】
本発明は、着用者の頭部を覆って保護するための硬質の殻体を備えるヘルメットに関する。
【背景技術】
【０００２】
ヘルメットが備える殻体は、着用者の頭部を保護するために硬質材料で形成されている。このため、ヘルメットを持ち運ぶときには非常に嵩張り、また、不使用時のヘルメットを保管する場合にも広い保管スペースが必要となる不都合があった。
【０００３】
そこで、従来、殻体を上下に複数層に分離可能となる複数の部材で構成し、不使用時には分離させた各層の部材を、大きさの大きい下層の部材の中にそれよりも小さい上層の部材を収容するようにして畳み込んでコンパクト化できるヘルメットが提案されている（特許文献１参照）。
【先行技術文献】
【特許文献】
【０００４】
【特許文献１】特開２０００−１９２３２０号公報
【発明の概要】
【発明が解決しようとする課題】
【０００５】
しかし、ヘルメットの殻体をコンパクト化する際に複数の部材に分離させると、互いに分離状態となった各部材の大きさを確認しながら部材内に他の部材を収容する作業を行わなければならず、迅速にコンパクト化することができない不都合がある。また、殻体を畳み込んだ状態から着用状態に組み立てるときには、各部材同士の結合作業に手間がかかり、迅速に着用することができない不都合がある。
【０００６】
上記の不都合に鑑み、本発明は、不使用時に、殻体をコンパクト化することができるだけでなく、着用時の組立作業も極めて迅速に行うことができるヘルメットを提供することを目的とする。
【課題を解決するための手段】
【０００７】
かかる目的を達成するために、本発明は、着用者の頭部を覆う硬質の殻体を備え、前記殻体は、着用者の頭部の上部を覆うドーム状殻部材と、着用者の頭部の側部全周を覆う環状殻部材とを備え、前記ドーム状殻部材は、前記環状殻部材に左右方向に延びる軸線上の枢軸を介して反転自在に連結され、前記環状殻部材は、その内側に反転姿勢の前記ドーム状殻部材を収容するヘルメットにおいて、前記環状殻部材は、該環状殻部材の前端部と後端部との両方に、非反転姿勢の前記ドーム状殻部材の下端部に解除自在に当接して前記ドーム状殻部材の非反転姿勢を維持する当接部を備えることを特徴とする。
【０００８】
本発明によれば、ドーム状殻部材を枢軸回りに反転させるだけで、反転姿勢のドーム状殻部材が環状殻部材の内側に収容されるので、極めて簡単な作業で殻体を畳み込んで殻体の高さ寸法を短縮させることができ、容易にコンパクト化することができる。また、環状殻部材の内側に収容されたドーム状殻部材は、枢軸回りに回転させるだけで元の非反転状態に戻すことができるので、畳み込んだ状態の殻体を極めて迅速に着用可能な状態に組み立てることができる。
【０００９】
また、本発明において、前記ドーム状殻部材は、前記枢軸による前記ドーム状殻部材の反転軸線に直交する方向に移動自在とされ、前記環状殻部材の前記両方の当接部は、前記ドーム状殻部材を前記反転軸線に直交する前後方向のうちの一方側に移動させたときに前記ドーム状殻部材の下縁に当接して前記ドーム状殻部材の反転を規制し、前記環状殻部材の前記一方の当接部は、前記ドーム状殻部材を前記反転軸線に直交する前後方向のうちの他方側に移動させたときに前記ドーム状殻部材の下縁への当接が解除されて前記ドーム状殻部材の反転を許容することを特徴とする。
【００１０】
これによれば、ドーム状殻部材の反転軸線を移動させるだけで、環状殻部材の当接部によってドーム状殻部材の反転が規制された状態と、ドーム状殻部材の反転が許容された状態とを、簡単な操作で容易に切り替えることができる。
【００１１】
また、本発明において、前記ドーム状殻部材が非反転姿勢のとき、前記ドーム状殻部材の前記環状殻部材に対する反転を解除自在にロックするロック手段を有し、該ロック手段は、前記環状殻部材の後側に設けられた係止部材を備え、該係止部材は、前端部及び後端部の当接部のうち後端部の当接部を備えていることを特徴とする。
【００１２】
ロック手段を備えることにより、環状殻部材に対するドーム状殻部材の不用意な反転を防止することができ、非反転姿勢のドーム状殻部材と環状殻部材とで殻体を着用可能に組み立てた状態を確実に維持することができる。
【図面の簡単な説明】
【００１３】
【図１】本発明の一実施形態であるヘルメットの側面図。
【図２】殻体の側面断面図。
【図３】殻体の正面断面図。
【図４】ドーム状殻部材が反転姿勢となった殻体の側面断面図。
【図５】反転操作の説明図。
【図６】ロック手段を設けた形態のヘルメットを示す側面断面図。
【発明を実施するための形態】
【００１４】
本発明の一実施形態を図面に基づいて説明する。図１に示すように、本実施形態のヘルメットは、硬質合成樹脂材料からなる殻体１を備えている。なお、図示しないが、殻体１の内部にはハンモックやヘッドバンド等の着装体を設けることができるようになっている。
【００１５】
図１及び図２に示すように、殻体１は、ドーム状殻部材２と環状殻部材３との２つの部材で構成されている。ドーム状殻部材２は着用者の頭部の上部をドーム状に覆う形状に形成され、環状殻部材３はドーム状殻部材２の下部に位置して着用者の頭部の側部全周を覆う形状に形成されている。
【００１６】
また、図２及び図３に示すように、ドーム状殻部材２の最大外径となる下縁外径は、環状殻部材３の最小外形となる上縁外径よりも僅かに小さく形成されている。
【００１７】
ドーム状殻部材２は、枢軸４を介して環状殻部材３の上部に連結されている。枢軸４は、図３に示すように、ドーム状殻部材２の外面に突設されており、ドーム状殻部材２の左右に対向する位置で同一軸線上に設けられている。
【００１８】
図１及び図３に示すように、環状殻部材３には、枢軸４の軸受となる軸孔５が形成されている。この軸孔５は前後方向に向かって延びる長孔状に形成されており、軸孔５の長手方向に沿った案内により枢軸４が前後方向に移動可能とされている。
【００１９】
なお、図示しないが、枢軸４は、ドーム状殻部材２ではなく環状殻部材３の内面に設けることも可能である。この場合、ドーム状殻部材２に軸孔５を設ければよい。本実施形態においては、枢軸４をドーム状殻部材２の外面に突設したことにより、枢軸４が殻体１の内部に露出せず、着装体や着用者の邪魔になることがない。
【００２０】
枢軸４によって、ドーム状殻部材２と環状殻部材３とは分離不能とされるが、ドーム状殻部材２は、枢軸４回りに回動自在とされている。そして、ドーム状殻部材２は、枢軸４回りに回動させることにより、図４に示すように、環状殻部材３に対して反転姿勢とすることができる。ドーム状殻部材２の状態について、以下の説明においては、環状殻部材３の上方に露出して着用可能となる状態を非反転姿勢と言い、環状殻部材３に対して反転させたことにより環状殻部材３の内部に収容された状態を反転姿勢と言う。
【００２１】
枢軸４の軸線はドーム状殻部材２の反転軸線となるものである。枢軸４が軸孔５に沿って前後方向に移動可能であることにより、ドーム状殻部材２は環状殻部材３に対して、軸孔５の長さに対応する範囲で前後方向に移動自在となっている。即ち、ドーム状殻部材２は、反転軸線と共に当該反転軸線に直交する方向（前後方向）に移動自在となっている。
【００２２】
環状殻部材３は、反転姿勢のドーム状殻部材２が収容可能となる大きさに形成されている。この場合、ドーム状殻部材２の大きさを、その反転姿勢のときに環状殻部材３の内部に収容される大きさに設定してもよい。
【００２３】
また、図２に示すように、環状殻部材３の前側の上端部には環状殻部材３の内側に向かって突出する前側突部６が形成されている。同じように、環状殻部材３の後側の上端部には環状殻部材３の内側に向かって突出する後側突部７が形成されている。
【００２４】
ドーム状殻部材２が非反転姿勢のとき、ドーム状殻部材２の枢軸４が環状殻部材３の軸孔５の後方端に位置すると（図２の状態）、ドーム状殻部材２の下縁が環状殻部材３の前側突部６の上面と後側突部７の上面との両方に当接する。これにより、ドーム状殻部材２は、その反転が規制されて非反転姿勢を維持する。
【００２５】
非反転姿勢のドーム状殻部材２を前方に向かって水平移動させると、それに伴って、ドーム状殻部材２の枢軸４が環状殻部材３の軸孔５の前方端まで移動する。この状態は、本発明における、ドーム状殻部材２を反転軸線に直交する他方側（前方側）に移動させたとき、に相当する。
【００２６】
そして、ドーム状殻部材２の枢軸４が環状殻部材３の軸孔５の前方端に位置すると、図５に示すように、ドーム状殻部材２の後方下縁が内側にずれて、後側突部７の上面への当接が解除される。これにより、ドーム状殻部材２はその反転が許容され、図５に仮想線で示すように、自由に反転させることができるようになる。
【００２７】
この状態で、環状殻部材３に対してドーム状殻部材２を反転させると、反転姿勢となったドーム状殻部材２は環状殻部材３の内側に収容され、殻体１の高さ寸法が短縮されてコンパクト化される。このように、本実施形態によれば、ヘルメットの不使用時に、極めて簡単な操作で殻体１をコンパクト化することができる。
【００２８】
環状殻部材３の内側に収容された反転姿勢のドーム状殻部材２は、非反転姿勢に戻して、ドーム状殻部材２を後方に向かって水平移動させると、ドーム状殻部材２の下縁が環状殻部材３の前側突部６の上面と後側突部７の上面との両方に当接して非反転姿勢が維持され、着用可能な状態となる。
【００２９】
なお、本実施形態においては、ドーム状殻部材２を後方に移動させるとドーム状殻部材２の前後の下縁が環状殻部材３の前側突部６の上面と後側突部７の上面との両方に当接してドーム状殻部材２の反転動作が規制され、ドーム状殻部材２を前方に移動させるとドーム状殻部材２の後方下縁の後側突部７への当接が解除されてドーム状殻部材２が反転自在となる構成を示した。しかし、本発明はこれに限定されず、これとは逆に、ドーム状殻部材２を前方に移動させるとドーム状殻部材２の下縁が環状殻部材３の前側突部６の上面と後側突部７の上面との両方に当接してドーム状殻部材２の反転動作が規制され、ドーム状殻部材２を後方に移動させるとドーム状殻部材２の前方下縁の前側突部６への当接が解除されてドーム状殻部材２が反転自在となるように構成してもよい。
【００３０】
以上のように、本実施形態によれば、ドーム状殻部材２の反転軸線を移動させるだけで、環状殻部材３に対してドーム状殻部材２の反転が規制された状態と、ドーム状殻部材２の反転が許容された状態と切り替えることができる。しかも、ドーム状殻部材２が非反転姿勢のときに、ドーム状殻部材２の下縁が環状殻部材３の前側突部６の上面と後側突部７の上面との両方に当接するので、非反転姿勢のドーム状殻部材２と環状殻部材３との間の隙間の発生を極めて少なくすることが可能となり、ドーム状殻部材２と環状殻部材３との一体感を得ることができる。
【００３１】
なお、本実施形態においては、好ましい例として、環状殻部材３の軸孔５を長孔状とし、前記前側突部６及び前記後側突部７を設けたものを示したが、本発明は、この構成に限るものではない。例えば、図示しないが、環状殻部材３の軸孔５を長孔状とせず、ドーム状殻部材２を前後方向に移動させることなく定位置で反転させるようにしてもよい。この構成によっても、ドーム状殻部材２を非反転姿勢として着用しているときには、ドーム状殻部材２の不用意な反転が防止され、着用していないときにはドーム状殻部材２を容易に反転させることができる。
【００３２】
ところで、ドーム状殻部材２の非反転姿勢を確実に維持するために、環状殻部材３に対するドーム状殻部材２の反転を解除自在にロックするロック手段を設けてもよい。ロック手段としては様々な形態が考えられるが、その一例として、図６に示す構成のロック手段８を挙げることができる。
【００３３】
図６に示すように、ロック手段８は、ドーム状殻部材２の後方下縁に設けられた係止孔９と、環状殻部材３の後側に設けられた係止部材１０とによって構成されている。係止部材１０は、環状殻部材３に搖動軸１１を介して搖動自在に取り付けられ、係止孔９に係止する係止爪１２と、係止部材１０の搖動操作を行うための指掛け凸部１３とを備えている。更に、係止部材１０は、図示しない付勢手段により、係止爪１２が係止孔９に係止する方向に付勢されている。
【００３４】
係止部材１０の係止爪１２が係止孔９に係止しているとき、ドーム状殻部材２は環状殻部材３に対して反転不能となる（ロック状態）。この状態から、指掛け凸部１３を外側に引っ張り、係止部材１０を搖動させると、係止部材１０の係止爪１２が係止孔９から離脱してドーム状殻部材２の環状殻部材３に対するロック状態が解除される。
【００３５】
これによれば、非反転姿勢のドーム状殻部材２の不用意な反転を防止することができ、係止部材１０を搖動操作して所望のときにドーム状殻部材２を反転させて容易にコンパクト化することができる。
【００３６】
なお、本実施形態においては、ドーム状殻部材２の反転軸線が殻体１の左右方向に延びていてドーム状殻部材２が前後方向に反転する構成のものを示した。
【符号の説明】
【００３７】
１…殻体、２…ドーム状殻部材、３…環状殻部材、４…枢軸、６…前側突部（当接部）、７…後側突部（当接部）、８…ロック手段、１０…係止部材。
【図１】
0005908929.tif 000002
【図２】
0005908929.tif 000003
【図３】
0005908929.tif 000004
【図４】
0005908929.tif 000005
【図５】
0005908929.tif 000006
【図６】
0005908929.tif 000007